(57)【特許請求の範囲】
【請求項１】
矩形状の底板から立ち上がり対面する第１側板と第２側板の間に部品が掛け渡された筐体の支持構造において、
前記底板を第１脚部、第２脚部、及び第３脚部で設置面上に支持し、前記第１脚部及び前記第２脚部が前記第１側板の下辺部に配置され、前記第３脚部が前記第２側板の下辺部に配置されると共に、第１脚部、第２脚部、及び第３脚部を結ぶ三角形の内側に部品が格納されたときの前記筐体の重心が位置することを特徴とする筐体の支持構造。
【請求項２】
前記第３脚部に替えて、第３脚部があった位置の両側に第２側板の下辺に沿って所定の間隔をおいて第４脚部と第５脚部を設けたことを特徴とする請求項１に記載の筐体の支持構造。
【発明の詳細な説明】
【０００１】
【発明の属する技術分野】
本発明は、電子複写機やプリンタ等の部品が格納される筐体の支持構造に関する。
【０００２】
【従来の技術】
電子複写機を構成する光学部品や転写機構等は、工場で筐体（ハウジング）に組付けられ位置調整して、ユーザーの元へ出荷される。
【０００３】
図１０に示すように、この筐体３０を構成する矩形状の底板３２には、通常、剛性を確保するためにフレーム３４が井桁状に組まれており、このフレーム３４の交差部に取付けられた４つの円柱状の脚部Ｆ１、Ｆ２、Ｆ３、Ｆ４で、筐体３０を支持するようになっている。
【０００４】
ところで、電子複写機を設置する机、床等の設置面は、一般に完全な平面ではなく、段差や凹凸がある。このような設置面に、筐体３０を置くと、４つの脚部Ｆ１、Ｆ２、Ｆ３、Ｆ４は、同一平面上（レベル面）に接地しないため、底板３２に歪みが生じる。この底板３２の歪みに伴い、底板３２から立ち上がる側板３６Ａ、３６Ｂが捩じれ、側板３６Ａ、３６Ｂの間に掛け渡され、中間転写用のベルト３８が巻き掛けられたロール４０の回転軸がズレてくる。
【０００５】
このように、ロール４０の回転軸がズレると、ベルト４０が斜行して画像ズレを起こす。さらに、ベルト４０の斜行が大きくなると、ベルト４０が破損する原因ともなる。
【０００６】
ここで、図１１を参照し、４点支持の場合、どのように側板３６Ａ、３６Ｂに捩じれが生じるかを説明する。
【０００７】
底板３２に作用する筐体３０の重心をＧとし、脚部Ｆ１が接地した設置面の高さが、他の脚部Ｆ２、Ｆ３、Ｆ４よりも高かったとする。言い換えると、脚部Ｆ１、Ｆ２、Ｆ３、Ｆ４がレベル面に接地した状態から、脚部Ｆ１を持ち上げることになる。
【０００８】
このとき、筐体３０は、脚部Ｆ２と脚部Ｆ３を結んだ回転中心線Ｌ１を中心に回転しようとするが、脚部Ｆ４は既に接地し回転方向にあるので、回転できないので、重心Ｇに近い、脚部Ｆ２と脚部Ｆ４を結んだ線Ｌ２を中心に回転しようとする。
【０００９】
このため、底板３２の角部Ａ２、Ａ４は、紙面の手前側に若干下がり、角部Ａ３が上がろうとする。しかし、底板３２は完全な剛体でなく、部品の重量及び自重によって下方へ撓むので、角部Ａ３は脚部Ｆ１側の角部Ａ１ほど上がらない。
【００１０】
すなわち、底板３２の角部Ａ３が、角部Ａ１より下がるため、底板３２は歪み、この歪みに伴い、側板３６Ａ、３６Ｂが捩じれ、側板３６Ａ、３６Ｂの間に掛け渡されたロール３８の回転軸がズレるのである。このズレ量は、図８のグラフの実線で示すように、一般機種では、脚部Ｆ１を１０ｍｍ持ち上げたとき、０．５．ｍｍとなり、大きな影響を電子複写機に与える。
【００１１】
【発明が解決しようとする課題】
本発明は上記事実を考慮し、設置面の凹凸の影響を受けにくくして、側板に掛け渡された部品のズレを最小とする筐体の支持構造を提供することを課題とする。
【００１２】
【課題を解決するための手段】
請求項１に記載の発明では、底板に第１脚部、第２脚部、及び第３脚部が配置されており、これらの脚部で筐体を設置面上に３点支持している。そして、第１脚部、第２脚部、及び第３脚部を結ぶ三角形の内側には、部品が格納されたときの筐体の重心が位置している。
【００１３】
ここで、例えば、第３脚部を持ち上げると、底板は、第１脚部と第２脚部を結んだ線を中心に、重心と第３脚部を結ぶ線を回転半径として、回転する。この結果、第２側板の下辺部にある底板の角部は両方とも上がり、第１側板の下辺部にある底板の角部は両方とも下がる。
【００１４】
これは、底板から立ち上げる第１側板と第２側板とが平行な関係を維持して移動することを意味し、第１側板と第２側板の間に掛け渡された部品のズレを最小とすることができる。
【００１５】
今度は、第１脚部を持ち上げた場合を考えると、底板は、第２脚部と第３脚部を結んだ線を中心に、重心と第１脚部を結ぶ線を回転半径として、回転する。この場合、第１脚部の近くにある底板の角部は上がり、その対角線上にある角部は下がる。また、第２脚部の近くにある底板の角部は下がり、その対角線上にある底板の角部は上がる。
【００１６】
これも、第１側板と第２側板が互いに平行に移動することを意味し、第１側板と第２側板の間に掛け渡された部品のズレを最小とすることができる。
【００１７】
請求項２に記載の発明では、第３脚部に替えて、第２側板の下辺部に第４脚部と第５脚部が設けられている。この第４脚部と第５脚部は、第２側板の下辺に沿って、第３脚部があった位置の両側に所定の間隔をおいて配置されている。
【００１８】
このように、第２側板の下辺部、すなわち、第２側板側の下辺部を２点で支持することで、第２側板に上方から荷重が掛かった場合、底板を傾かせることなく、安定した状態で支持することができる。
【００１９】
また、第４脚部と第５脚部は、疑似的な第３脚部であり、設置面に凹凸があれば、力学的には筐体を３点で支持する。
【００２０】
すなわち、第４脚部が第２脚部側にあり、第５脚部が第１脚部側にあるとすると、第１脚部を持ち上げると、底板は第２脚部と第５脚部を結んだ線を中心として回転しようとする。これは、第２脚部と第５脚部を結んだ線が、第２脚部と第４脚部を結んだ線より、重心側にあるためであり、第１側板と第２側板の動きは、請求項１で説明した３点支持と同じになる。
【００２１】
また、第２脚部を持ち上げると、底板は第１脚部と第４脚部を結んだ線を中心として回転しようとする。これは、第１脚部と第４脚部を結んだ線が、第１脚部と第５脚部を結んだ線より、重心側にあるためであり、第１側板と第２側板の動きは、請求項１で説明した３点支持と同じになる。
【００２２】
このように、疑似的な３点支持構造であっても、第１側板と第２側板の位置関係を維持できる。
【００２３】
【発明の実施の形態】
本発明に係る筐体の支持構造の第１形態が、図１に示されている。
【００２４】
電子複写機のハウジングとしての筐体１０は、長方形状の底板１２と、この底板１２の４辺から直立する第１側板１６Ａ、第２側板１６Ｂ、及び側板１６Ｃと、長方形状の天板１４とから構成されている。
【００２５】
第１側板１６Ａと第２側板１６Ｂには、３本のロール１８が掛け渡されており、このロール１８に中間転写用のベルト２０が巻き掛けられている。このベルト２０には、図示しない感光体からフルカラーの潜像が転写され、この転写された潜像をペーパーに再転写するようになっている。
【００２６】
一方、底板１２には、フレーム２２が井桁状に組まれており、剛性が確保されている。このフレーム２２には、交差部及びフレーム２２の中間部に、硬質樹脂製で円柱状の第１脚部Ｓ１、第２脚部Ｓ２、及び第３脚部Ｓ３が取付けられており、設置面から浮かした状態で、底板１２を３点で支持している。
【００２７】
また、第１脚部Ｓ１、第２脚部Ｓ２、及び第３脚部Ｓ３は、３点が結ぶ三角形内に、筐体１０の重心Ｇが位置するように配置されている。
【００２８】
次に、本形態に係る筐体の支持構造の作用を説明する。
仮に、第３脚部Ｓ３が接地した設置面の高さが、第１脚部Ｓ１、第２脚部Ｓ２よりも高かったとする。言い換えると、図２及び図４に示すように、第１脚部Ｓ１、第２脚部Ｓ２、第３脚部Ｓ３がレベル面に接地した状態から、第３脚部Ｓ３を持ち上げることになる。
【００２９】
このため、底板１２は、第１脚部Ｓ１と第２脚部Ｓ２を結んだ線Ｒ１を中心に、重心と第３脚部Ｓ３を結ぶ線Ｍ１を回転半径として、回転する。この結果、底板１２の角部Ａ３、Ａ４は両方とも上がり、底板１２の角部Ａ１、Ａ２は両方とも下がる。
【００３０】
これは、底板１２から立ち上げる第１側板１６Ａと第２側板１６Ｂとが平行な関係を維持して移動することを意味し、第１側板１６Ａと第２側板１６Ｂの間に掛け渡されたロール１８の回転軸のズレを最小とすることができる。このズレ量は、図８のグラフに示すように、設置面の凹凸の差が１０ｍｍあるとき、４点支持の場合は０．５ｍｍであるが、３点支持の場合は０．１ｍｍとなり、大きな違いがあることが判る。
【００３１】
今度は、第１脚部Ｓ１を持ち上げた場合を考えると、図３及び図４に示すように、底板１２は、第２脚部Ｓ２と第３脚部Ｓ３を結んだ線Ｒ２を中心に、重心と第１脚部Ｓ１を結ぶ線Ｍ２を回転半径として、回転する。この場合、底板１２の角部Ａ１は上がり、その対角線上にある角部Ａ４は下がる。また、底板１２の角部Ａ２は下がり、その対角線上にある角部Ａ３は上がる。
【００３２】
これも、第１側板１６Ａと第２側板１６Ｂが互いに平行に移動することを意味し、第１側板１６Ａと第２側板１６Ｂの間に掛け渡されたロール１８の回転軸のズレが最小となる。
【００３３】
次に、第２形態に係る筐体の支持構造を説明する。
第２形態では、図５に示すように、第３脚部Ｓ３に替えて、第３脚部Ｓ３の両側に第４脚部Ｓ４、第５脚部Ｓ５が設けられている。
【００３４】
この第４脚部Ｓ４、第５脚部Ｓ５は、それぞれ疑似的に３点支持構造を構成する位置に設けられている。
【００３５】
すなわち、図９のグラフに示すように、第１脚部Ｓ１、第２脚部Ｓ２、第３脚部Ｓ３の３点支持構造によるロール１８の回転軸のズレ量をδ３とすると、第１脚部Ｓ１、第２脚部Ｓ２、第４脚部Ｓ４の３点支持構造とした場合、ロール１８の回転軸のズレ量がδ４、第１脚部Ｓ１、第２脚部Ｓ２、第５脚部Ｓ５の３点支持構造とした場合、ロール１８の回転軸のズレ量がδ５となる。
【００３６】
ここで、脚部の位置とロールの回転軸のズレ量δの関係は２次曲線を描き、この２次曲線の変曲点の位置は第３脚部Ｓ３で３点支持を構成した場合で、左側に５０ｍｍ移動した位置が第４脚部Ｓ４、右側に５０ｍｍ移動した位置が第５脚部Ｓ５となる。そして、ズレ量の値δ３、δ４、δ５は、ほぼ同じとなり、疑似的に３点支持構造を構成することができる。
【００３７】
このように、第２側板１６Ｂの下のフレーム２２に約１００ｍｍの間をおいて第４脚部Ｓ４と第５脚部Ｓ５を設けることで、第２側板１６Ｂに上方から荷重が掛かった場合、底板１２を傾けることなく、安定した状態で支持することができる。
【００３８】
ここで、設置面に凹凸があり、図６に示すように、第１脚部Ｓ１が持ち上がった場合を想定すると、底板１２は第２脚部Ｓ２と第５脚部Ｓ５を結んだ線Ｒ３を中心として回転しようとする。これは、第２脚部Ｓ２と第５脚部Ｓ５を結んだ線Ｒ３が、第２脚部Ｓ２と第４脚部Ｓ４を結んだ線Ｒ４より、重心Ｇ側にあるためであり、第１側板１６Ａと第２側板１６Ｂの動きは、第１形態で説明した３点支持と同じになる。
【００３９】
また、第２脚部Ｓ２を持ち上げると、底板１２は第１脚部Ｓ１と第４脚部Ｓ４を結んだ線Ｒ５を中心として回転しようとする。これは、第１脚部Ｓ１と第４脚部Ｓ４を結んだ線Ｒ５が、第１脚部Ｓ１と第５脚部Ｓ５を結んだ線Ｒ６より、重心側にあるためであり、第１側板１６Ａと第２側板１６Ｂの動きは、前述した通りである。
【００４０】
このように、疑似的な３点支持構造であっても、第１側板１６Ａと第２側板１６Ｂの位置関係は維持できる。
【００４１】
【発明の効果】
本発明は上記構成としたので、設置面の凹凸の影響を受けにくく、側板に掛け渡された部品のズレを最小とすることができる。
【図面の簡単な説明】
【図１】第１形態に係る筐体の支持構造を示す概略斜視図である。
【図２】第１形態に係る筐体の支持構造の変形状態を示す概略斜視図である。
【図３】第１形態に係る筐体の支持構造の変形状態を示す概略斜視図である。
【図４】第１形態に係る筐体の支持構造を示す平面図である。
【図５】第２形態に係る筐体の支持構造を示す概略斜視図である。
【図６】第２形態に係る筐体の支持構造の変形状態を示す概略斜視図である。
【図７】第２形態に係る筐体の支持構造の変形状態を示す概略斜視図である。
【図８】第１形態に係る筐体の支持構造の回転軸のズレと設置面の凹凸との関係を示すグラフである。
【図９】第２形態に係る筐体の支持構造の回転軸のズレと脚部の位置との関係を示すグラフである。
【図１０】従来の筐体の支持構造を示す概略斜視図である。
【図１１】従来の筐体の支持構造の変形状態を示す概略斜視図である。
【符号の説明】
１０      筐体
Ｓ１      第１脚部
Ｓ２      第２脚部
Ｓ３      第３脚部
Ｇ        重心
Ｓ４      第４脚部
Ｓ５      第５脚部
【図１】
0003744157.tif 000002
【図２】
0003744157.tif 000003
【図３】
0003744157.tif 000004
【図４】
0003744157.tif 000005
【図５】
0003744157.tif 000006
【図６】
0003744157.tif 000007
【図７】
0003744157.tif 000008
【図８】
0003744157.tif 000009
【図９】
0003744157.tif 000010
【図１０】
0003744157.tif 000011
【図１１】
0003744157.tif 000012